(57)【要約】【課題】開閉手段の開閉によりＩＣカードの読み取りを可又は不可にする。【解決手段】非接触式ＩＣカードのスキミング防止装置１であって、基板１ａと、基板１ａ上に配置され、非接触式カード５と重ねたときにそのループアンテナ１０を隠蔽できる形状を有するループ状の導電性部材２と、前記導電性部材２の両端間を開閉自在に接続する開閉手段３と、を有し、非接触式カード５と重ねたときに、前記開閉手段３の開閉に応じて前記非接触式カードリーダからの磁界を通過または相殺し、前記非接触式ＩＣカード５とカードリーダとの通信を可又は不可にする。【選択図】        図１
2009245142.tif 000002
【特許請求の範囲】
【請求項１】
非接触式カードのスキミング防止装置であって、
基板と、基板上に配置され、非接触式カードと重ねたときにそのループアンテナを隠蔽できる形状を有するループ状の導電性部材と、
前記導電性部材の両端間を開閉自在に接続する開閉手段と、を有し、
非接触式カードと重ねたときに、前記開閉手段の開閉に応じて非接触式カードリーダからの磁界を通過または相殺し、前記非接触式カードリーダとの通信を可又は不可にすることを特徴とする非接触式カードのスキミング防止装置。
【請求項２】
請求項１に記載された非接触カードのスキミング防止装置において、
前記開閉手段は、機械的又は電気的スイッチ手段であることを特徴とする非接触式カードのスキミング防止装置。
【請求項３】
請求項１ないし２のいずれかに記載されたスキミング防止装置において、
非接触カード関連情報を表示する表示手段を備えたことを特徴とする非接触式カードのスキミング防止装置。
【請求項４】
請求項１ないし３のいずれかに記載された非接触式カードのスキミング防止装置において、
中に非接触式カードを挿入するケースと一体に形成したことを特徴とする非接触式カードのスキミング防止装置。
【請求項５】
請求項１ないし４のいずれかに記載された非接触式カードのスキミング防止装置において、
前記開閉手段の制御を行う制御部と、
時刻を検出する時計手段と、
前記開閉手段の制御を行う切替時間を設定する設定手段と、
を有し、
前記制御部は前記設定手段からの切替時間に応じて前記開閉手段の切替の制御を行うことを特徴とする非接触式カードのスキミング防止装置。
【発明の詳細な説明】
【技術分野】
【０００１】
本発明は非接触式カードのスキミング防止装置に関する。
【背景技術】
【０００２】
非接触式ＩＣカードリーダの普及に伴い、多くの人がＩＣカードを持ち歩いている。このような状況において、例えば、混雑したバス車内で走行中にＩＣカードを偶然運賃箱のＩＣカードリーダに近づけてしまうと、運賃が複数回引き落とされてしまうことがある。
そこで、このような不都合を防止するための工夫がなされているが、その１例として図７に示されたカードホルダが知られている（特許文献１参照）。
【０００３】
図６は、従来のスキミング防止装置の１例としてのカードホルダを示す模式図である。カード２１は金属薄板とその表裏のラミネート加工された化粧板とから構成されてスキミング防止機能を持つようにされている。このカード２１は常に非接触ＩＣカード２４とあわせて携帯して用いられる。
カードリーダ２５が非接触ＩＣカード２４に記録されている情報を読み取ろうとするとき、つまり、非接触ＩＣカード２４がカードリーダ２５が発生した磁界２８を受けた時は、金属薄板に渦電流２９が発生し、この渦電流２９により発生する反磁界２７がリーダ２５からの磁界を打ち消し、非接触ＩＣカード２４が起動されないようになっている。
また、この非接触ＩＣカード２４をカードホルダに収容することにより、携帯時にはスキミングを防止することができる。
【０００４】
しかしながら、このスキミング防止ホルダは、非接触ＩＣカードを使用するときには、その都度ホルダから非接触ＩＣカードを飛び出させ、カード単体にして読み取らせなければならない。
これでは、パスケースごとカードを読み取らせることができるという、非接触ＩＣカードの大きな特長の一つを犠牲にすることになり、カード利用者に不便を強いることになる。
【特許文献１】特開２００６−２６８８８３号公報
【発明の開示】
【発明が解決しようとする課題】
【０００５】
本発明の目的は、非接触式カードを使用するときに、開閉手段を手動または自動で操作するだけで、非接触式カードの読み取りを可または不可（禁止）とすることができるようにし、非接触式カード読み取り時にカードをその都度収納ケースから取り出す必要をなくすことである。
【課題を解決するための手段】
【０００６】
請求項１の発明は非接触式カードのスキミング防止装置であって、非接触式カードのスキミング防止装置であって、基板と、基板上に配置され、非接触式カードと重ねたときにそのループアンテナを隠蔽できる形状を有するループ状の導電性部材と、前記導電性部材の両端間を開閉自在に接続する開閉手段と、を有し、非接触式カードと重ねたときに、前記開閉手段の開閉に応じて非接触式カードリーダからの磁界を通過または相殺し、前記非接触式カードリーダとの通信を可又は不可にすることを特徴とする。
請求項２の発明は、請求項１に記載された非接触カードのスキミング防止装置において、前記開閉手段は、機械的又は電気的スイッチ手段であることを特徴とする。
請求項３の発明は、請求項１ないし２のいずれかに記載されたスキミング防止装置において、非接触カード関連情報を表示する表示手段を備えたことを特徴とする。
請求項４の発明は、請求項１ないし３のいずれかに記載された非接触式カードのスキミング防止装置において、中に非接触式カードを挿入するケースと一体に形成したことを特徴とする。
請求項５の発明は、請求項１ないし４のいずれかに記載された非接触式カードのスキミング防止装置において、前記開閉手段の制御を行う制御部と、時刻を検出する時計手段と、前記開閉手段の制御を行う切替時間を設定する設定手段と、を有し、前記制御部は前記設定手段からの切替時間に応じて前記開閉手段の切替の制御を行うことを特徴とする。
【発明の効果】
【０００７】
カードを使用するときは、開閉手段を操作するだけで非接触式カードの読み取りを可または不可にすることができ、非接触式カードの読み取りに際して、その都度非接触式カードを取り出す不便を解消することができる。
【発明を実施するための最良の形態】
【０００８】
本発明の実施形態に係るスキミング防止装置を図面を参照して説明する。
図１は、本スキミング防止装置の分解斜視図である。
図中、非接触式ＩＣカード５は、非接触式ＩＣカードリーダの送信アンテナコイル４から送信される高周波電力信号（交流磁界）を受信するループアンテナ１０を有し、受信した高周波電力信号をその電力回路でＩＣカード駆動電力に変換すると共に、受信データからＩＣカードリーダに応答信号を発生する。
【０００９】
従って、非接触式ＩＣカード５を不用意にＩＣカードリーダに近づけると、非接触式ＩＣカード５は、ＩＣカードリーダからの交流磁界に感応して、そのＩＣカードリーダに対してデータを送信してしまう。そのため前述のように、例えば、ＩＣカードリーダが運賃支払い機であると、近づけた非接触式ＩＣカード５から運賃が徴収されることになる。
【００１０】
そこで、本願発明は、非接触式ＩＣカード５を不用意にＩＣカードリーダに近づけても、非接触式ＩＣカード５のデータが引き出されないように、常に非接触式ＩＣカード５に重ねて配置しておき、ＩＣカードリーダから上記交流磁界を受けたときに、この交流磁界に対する反磁界を発生させて、ＩＣカードに対するＩＣカードリーダの影響を打ち消すためのスキミング防止装置１を提供する。
【００１１】
本実施形態に係るスキミング防止装置は、図示のように、絶縁材料でできた基板１ａ上に配置され、その両端が開放したループ状の導電性部材、例えば１巻きまたは複数巻きのコイル２から成り、その開放した端部同士を開閉手段３で開閉できるようにしている。
【００１２】
スキミング防止装置１の開閉手段３を開いたときは、そのコイル２にはＩＣカードリーダから上記交流磁界を受けても渦電流は流れないため、この状態にある非接触式ＩＣカード５をＩＣカードリーダに近づけると、非接触式ＩＣカード５はＩＣカードリーダと交信してデータの授受を行うことができる。
他方、開閉手段３を閉じたときは、閉じた導電性ループが形成される結果、ＩＣカードリーダからの交流磁界によりコイル２に渦電流が流れ、この電流によりＩＣカードリーダからの上記交流磁界とは逆向きの反磁界が生じる。そのため、非接触式ＩＣカード５側（正確にはスキミング防止装置１の上下側）では磁界が互いに打ち消し合うため、非接触式ＩＣカード５をＩＣカードリーダに近づけても、非接触式ＩＣカード５とＩＣカードリーダとは交信を行うことはない。
ここで、ループコイル２は、ＩＣカードリーダ側からみて、幅が広いと磁界を打ち消す効果が大きくなるため、幅が広いことが望ましい。
【００１３】
次に、本実施形態のスキミング防止装置を用いて、非接触式ＩＣカード５を使用する場合の処理について、図１を参照して説明する。
まず、スキミング防止装置１の開閉手段３を開放しておく。これにより磁界６の誘導起電力により、非接触式ＩＣカード５のループアンテナ１０に電流８が流れ、非接触式ＩＣカード５はデータの送信等を行うことができる状態になる。
【００１４】
これに対し、非接触式ＩＣカード５を使用したくない、つまり不用意なアクセスやスキミングを防止したいときは、本スキミング防止装置１の開閉手段３を閉じておく。これにより、非接触式ＩＣカード５をＩＣカードリーダに近づけたとき、スキミング防止装置１にはＩＣカードリーダからの磁界６の誘導起電力、即ち、ループコイル２及び開閉手段３を経由して周回する渦電流９が流れ、これにより磁界６を打ち消す方向の反磁界７が発生する。
つまり、磁界６と反磁界７とが互いに打ち消し合うことにより、非接触式ＩＣカード５は著しく弱い磁界中に存在することなるため、その動作に必要な電力を得ることができず動作不能となる。したがって、不用意なアクセスやスキミングを防止することができる。
【００１５】
このように、本スキミング防止装置１は、非接触式ＩＣカード５と重ねて例えばパスケースに挿入しておくことで、その開閉手段３を開にした状態では、非接触式ＩＣカード５をパスケースから抜き出すことなく、そのままＩＣカードリーダにかざして電力の授受やデータの送信ができ、また、開閉手段３を閉にした状態では、ＩＣカードリーダに接近しても非接触式ＩＣカード５のデータがＩＣカードリーダに読み取られることはない。
【００１６】
図２は、パスケース２０と一体に形成された本スキミング防止装置１を示し、図２Ａはその斜視図、図２Ｂは断面図である。
図２Ａに示すように、パスケース２０は窓となる開口２２を上面に設けた、底面側にはスキミング防止装置１が設けられている。スキミング防止装置１と窓２２が設けられた表面との間に、非接触式ＩＣカード５を挿入する挿入部２４が設けられている。なお、非接触式ＩＣカード５の３０で示す部分は後述する表示手段である。また、図２Ｂに示すようにスキミング防止装置１はパスケース２０と一体に形成されているが、必要に応じてパスケースと別体に形成することもできる。
上記非接触式ＩＣカード５を使用するときは、非接触式ＩＣカード５をＩＣカードリーダにかざすことでデータの読み取りが行われる。
なお、ＩＣカードリーダにかざす面は図示上記面に限らず、反対側の面であってもよい。
【００１７】
次に、本実施形態のスキミング防止装置の他の配置構造について説明する。
図３は、本スキミング防止装置を斜め上からみた斜視図である。
本実施形態に係るスキミング防止装置は、複数のスキミング防止装置１１１〜１１６を同一面上に配置し、それぞれに対応する非接触式ＩＣカード５１〜５６を配置して構成している。なお、各スキミング防止装置の基板を大きくして共用することもできる。
図示のように、ＩＣカードリーダのアンテナ４は、非接触式ＩＣカード５１〜５６に同時に磁界を与えるため、ＩＣカードリーダと非接触式ＩＣカード５１〜５６が対応していれば、複数の開閉手段３を同時に開くことにより、複数の非接触式ＩＣカード５１〜５６を同時に使用することができる。開閉手段３は、手動以外に図示しない制御装置により開閉させることができる。  
【００１８】
次に、本願発明の第２の実施形態に係るスキミング防止装置と組み合わせた非接触カードについて説明する。
図４は、本願発明の第２の実施形態に係るスキミング防止装置と組み合わせた非接触カードを斜め上からみた斜視図である。
本実施形態においては、第１及び第２のスキミング防止装置１ａ、１ｂが、磁界を遮蔽する隔壁部となる磁性体１１を挟んで配置されている。
非接触式ＩＣカード５ａは隔壁部１１よりもスキミング防止装置１ａ側に、また、非接触式ＩＣカード５ｂは隔壁部１１よりもスキミング防止装置１ｂ側にそれぞれ配置されている。
図５はパスケースを示し、図５Ａはその斜視図であり、図５Ｂはその断面図である。パスケース２０は、以上のような配置構成を持った非接触式ＩＣカード５ａ、５ｂを内部に収納するようになっている。
なお、非接触式ＩＣカード５ａ、５ｂをスキミング防止装置１ａ、１ｂと磁性体１１の間に位置するように構成しても同様の効果がある。
【００１９】
本実施形態によれば、カード利用者は、非接触ＩＣカード５ａ及び５ｂのいずれのＩＣカードも使用しなくないときは、開閉手段３ａ、３ｂの両方を閉じておく。また、非接触ＩＣカード５ａを使用したいときは、スキミング防止装置１ａの開閉手段３ａを開き、非接触ＩＣカード５ａ側をＩＣカードリーダのアンテナ４に対向させる。
非接触ＩＣカード５ｂを使用したいときは、開閉手段３ｂを開くと共に、非接触ＩＣカード５ｂ側をＩＣカードリーダのアンテナ４に対向させる。
このように、所望の一方のＩＣカードをＩＣリーダのアンテナ４に対応させると共に、そのカード側の開閉手段を開くことにより、カード利用者の目的とする一方のカードのみを使用可能にすることができる。
【００２０】
さらに、スキミング防止装置１ａ、１ｂの開閉手段３ａ，３ｂは、制御手段による自動制御で開閉させてもよい。
図６は、スキミング防止装置１ａ、１ｂの開閉手段３ａ，３ｂを自動制御する制御手段のブロック図である。
制御手段は、開閉手段の制御を行う制御部４０と、時刻を検出する時計手段を備えた時計部４２と、前記開閉手段３ａ，３ｂのオン／オフさせる時間を設定する設定手段を備えた時刻設定部４４と、電気スイッチ等で制御部４０からの信号に基づき開閉手段３ａ，３ｂの切替を可能とする切替部４６と、これらを駆動する電源である電池４５で構成されており、制御部４０は上記設定手段からの切替時間に応じて前記開閉手段３ａ，３ｂの切替の制御を行う。
上記制御手段は一定の規則に基づき、決められたカードのみを使用可能とすることができる。ここでいう一定の規則としては、図示しないＩＣカードの検出手段または時計手段などにより前回使用したカードまたは前回利用からの経過時間または現在時刻などから導き出される情報に従ってカード使用の可否を決定する規則を定めておくことができる。
これによれば、利用者が開閉手段３ａ，３ｂを操作する手間を軽減させた上で、目的とする一方のカードのみを上記一定の規則、例えば所定の時間内だけ使用を許可することができる。
【００２１】
さらに、非接触ＩＣカード５ａ、５ｂのどちらの側が使用されたのかが容易に分かるように、非接触ＩＣカード又は非接触ＩＣカードを収納したケースに表示手段３０を設け、この表示手段３０で乗車中または、使用中等のカード使用状態を表示するように構成してもよく、また、磁気センサを設けて意図しない使用による磁界を検出した場合には、スキミング行為が試みられたとして、表示手段にその旨を表示すると共に、記憶手段にその旨を記憶するように構成してもよい。
ここで、非接触ＩＣカードについて表示手段３０に表示する情報を総称してカード関連情報という。
また、非接触ＩＣカードの表示手段３０は、例えば、液晶表示装置或いは有機ＥＬ（Electro-Luminescence）から成る表示装置であって、例えばＩＣカード又はカードケースに設けた充電可能な二次電池や二重層コンデンサなどからなる電源によってＣＰＵを作動し、記憶部に記憶された画像を読み出する共に表示制御部を制御して表示を行う。
【００２２】
以上で説明したように、本スキミング防止装置１は、非接触ＩＣカード５と近接して使用し、その形状をパスケース型にして、中にＩＣカードを入れるように構成することができる。このように構成することにより非接触式ＩＣカード５とスキミング防止装置１は常に一体にして使用することができる。
また、開閉手段３は機械スイッチに限らず、例えば半導体を応用した電気的スイッチであってもよい。また、スイッチは一カ所に限らない。また、本スキミング防止装置はリーダとＩＣカード間に位置するようにしてもよいし、或いはリーダ、ＩＣカード、スキミング防止装置の順に配置してもよい。
【００２３】
非接触ＩＣカード５のループアンテナ１０の形状がその外形に対して非対称である場合、考えられるカード方向の全てを包含し、それを遮蔽するループコイル形状にすることが好ましい。
なお、開閉手段３は、必ずしも完全にオン・オフする必要はなく、非接触ＩＣカード５を動作不能にできる程度の反磁界が発生可能であればオン抵抗を持ってもよい。また、非接触ＩＣカード５が動作不能とならない程度であれば、反磁界が発生してしまうオフ抵抗を持ってもよい。
さらに、ループコイル２は、非接触ＩＣカード５のループアンテナ１０を完全に遮蔽する形状を持つのが理想であるが、非接触ＩＣカード５が動作に至らない電流が流れる程度であれば、開閉手段３のため分断された部分など、ループアンテナ１０を完全には遮蔽できない形状であってもよい。
したがって、本願発明において開または閉というときは、非接触ＩＣカードが実質的に動作可又は動作不可の状態であればよく、必ずしも全開又は前閉であることを要しない。
【図面の簡単な説明】
【００２４】
【図１】本スキミング防止装置の分解斜視図である。
【図２】パスケースと一体に形成された本スキミング防止装置を示し、図２Ａはその斜視図、図２Ｂは断面図である。
【図３】本実施形態のスキミング防止装置を斜め上からみた斜視図である。
【図４】本願発明の第２の実施形態に係るスキミング防止機能付きＩＣカードを斜め上からみた斜視図である。
【図５】パスケースを示し、図５Ａはその斜視図であり、図５Ｂはその断面図である。
【図６】スキミング防止装置の開閉手段を自動制御する制御手段のブロック図である。
【図７】従来のスキミング防止装置の１例を示す模式図である。
【符号の説明】
【００２５】
１（１ａ、１ｂ）、１１１〜１１６・・・スキミング防止装置、３・・・開閉手段、４・・・送信アンテナコイル（ＩＣカードリーダ）、５（５ａ、５ｂ）、５１〜５６・・・非接触式ＩＣカード、１０・・・ループ状アンテナ（ＩＣカード）、１１・・・隔壁部（磁性体）。
【図１】
2009245142.tif 000003
【図２】
2009245142.tif 000004
【図３】
2009245142.tif 000005
【図４】
2009245142.tif 000006
【図５】
2009245142.tif 000007
【図６】
2009245142.tif 000008
【図７】
2009245142.tif 000009